(57)【要約】【課題】ゲートを開いた時扉の下部がＵ字状のゲートフレームより突出し、低水位時において使用する場合には、扉の下部が湖底ないしダムの底に接触し、扉の損傷に繋がるのを防止する。【解決手段】フロートＣにより半水没状に支持されるＵ字状のゲートフレームＤに、上下方向に３つに分割された上段の扉１ａ、中段の扉１ｂ、下段の扉１ｃを、ヒンジ２，４，５によりそれぞれ回転可能に連結する。上下方向において３つに分割されている上段の扉１ａ、中段の扉１ｂ、下段の扉１ｃは、上下方向において折り畳み自在である。一枚の扉を上下動させてゲートを開閉する形式のものではないので、低水位時において使用する場合でもゲートを開くことが可能である。【選択図】図６
2012082570.tif 000002
【特許請求の範囲】
【請求項１】
上下方向に分割された複数枚の扉をヒンジにより回転可能に連結し、分割された前記複数枚の扉のうち最上段の扉を、フロートにより半水没状に支持されるＵ字状のゲートフレームに対して上下方向にスライドさせる手段を備えたことを特徴とする折り畳み扉式通船ゲート。
【請求項２】
最上段の扉を上下方向にスライドさせる手段が、電動ウインチとこの電動ウインチのウインチドラムから延び出させてある２本のワイヤロープとからなり、前記２本のワイヤロープの先端を最上段の扉の左右にそれぞれ定着させてあることを特徴とする請求項１記載の折り畳み扉式通船ゲート。
【請求項３】
最上段の扉の左右両端にガイドローラが設けられ、各ガイドローラをＵ字状のゲートフレームの側枠に形成されているガイド溝に沿って回動させ得るようにしたことを特徴とする請求項１記載の折り畳み扉式通船ゲート。
【請求項４】
分割された複数枚の扉が降下しているか否かを確認するためのポールを、最上段の扉から上方に突出させて取り付けたことを特徴とする請求項１〜３のいずれかに記載の折り畳み扉式通船ゲート。
【請求項５】
上下方向に分割された複数枚の扉には、網体ではなくフロートを配置したことを特徴とする請求項１記載の折り畳み扉式通船ゲート。
【請求項６】
Ｕ字状のゲートフレームのデッキ上に太陽電池パネルが備えられ、この太陽電池パネルにより得られた電力で電動ウインチのモータを駆動させることを特徴とする請求項２記載の折り畳み扉式通船ゲート。
【請求項７】
無線操作で、電動ウインチのモータを駆動させることができるようにしたことを特徴とする請求項２又は６記載の折り畳み扉式通船ゲート。
【発明の詳細な説明】
【技術分野】
【０００１】
本発明は、ダム、湖、貯水池、河川その他の取水口に塵芥や流木などが流れ込むのを防止するために、その前方に設けられる流木止め設備や、ダム付帯設備その他の浮体構造の網場用あるいはフェンス用など、各種の閉鎖区域のゲートとして利用可能な通船ゲート、さらに詳しくは、上下方向に分割された複数枚の扉を、フロートにより半水没状に支持されるＵ字状のゲートフレームに対して折り畳み得るようにした通船ゲートに関するものである。
【背景技術】
【０００２】
ダム、湖、貯水池、河川その他様々な所において、湖面や水面に滞留した流木や塵芥を集めるために、あるいは、ダムの取水口に流木や塵芥が流れ込むのを防止するために、流木止め設備Ａが設置されている。そして、この流木止め設備Ａの途中には、図１においてＢ’で示すように、ダム管理船や集塵船が通過できるように通船ゲートが用いられ、常時は閉じていて流木や塵芥が流れるのを阻止し、通船時はゲートを開いて船を通す役目をしている。
【０００３】
従来のこの通船ゲートＢ’は、例えば、フロートにより半水没状に支持されるＵ字状のゲートフレームに上下摺動可能に扉を配置し、この扉を吊り下げているワイヤロープを上下させることにより、扉を開閉させている（例えば、特許文献１参照）。
【０００４】
また、特許文献１に代わるものとして、前記Ｕ字状のゲートフレームに、一点を中心として遮断機のように回動させ得るゲート杆を備えたものも提案されている（例えば、特許文献２参照）。
【先行技術文献】
【特許文献】
【０００５】
【特許文献１】特公平２−１６８１０号公報
【０００６】
【特許文献２】特許第４１２０９８７号公報
【０００７】
特許文献１の扉には網体が配設されており、また、特許文献２のゲート杆には網体が垂下させてあり、大きく拡げた各網体により、湖面や水面に滞留した流木や塵芥を集めることができ、あるいは、ダムの取水口に流木や塵芥が流れ込むのを防止することができる。
【発明の概要】
【発明が解決しようとする課題】
【０００８】
特許文献１のように、一枚の扉を上下動させてゲートを開閉する形式の場合には、ゲートを開いた時扉の下部がＵ字状のゲートフレームより突出することになる。したがって、低水位時において使用する場合には、扉の下部が湖底ないしダムの底に接触し、扉の損傷に繋がる。
【０００９】
本発明は、この欠点を解消するために、一枚の扉を上下動させてゲートを開閉する形式としないで、上下方向に分割された複数枚の扉を、フロートにより半水没状に支持されるＵ字状のゲートフレームに対して折り畳み得るようにしたものである。
【課題を解決するための手段】
【００１０】
すなわち、本発明による折り畳み扉式通船ゲートは、上下方向に分割された複数枚の扉をヒンジにより回転可能に連結し、分割された前記複数枚の扉のうち最上段の扉を、フロートにより半水没状に支持されるＵ字状のゲートフレームに対して上下方向にスライドさせる手段を備えたことを特徴とするものである。
本発明によるこの折り畳み扉式通船ゲートは、一枚の扉を上下動させてゲートを開閉する形式のものではないので、低水位時において使用する場合でもゲートを開くことが可能である。したがって、通常の水位、低水位にかかわらず、ほとんどの水位に対してダム管理船や集塵船の通過を可能ならしめ得るのみならず、これらの船による管理と集塵とが可能である。
【００１１】
最上段の扉を上下方向にスライドさせる手段が、電動ウインチとこの電動ウインチのウインチドラムから延び出させてある２本のワイヤロープとからなり、前記２本のワイヤロープの先端を最上段の扉の左右にそれぞれ定着させたものとすることができる。
この折り畳み扉式通船ゲートによれば、電動ウインチのモータ駆動により、上下方向に分割された複数枚の扉を自動的かつ簡単に折り畳むことができ、また、逆に拡げることができる。
【００１２】
最上段の扉の左右両端にガイドローラが設けられ、各ガイドローラをＵ字状のゲートフレームの側枠に形成されているガイド溝に沿って回動させ得るようにしておくのが良い。
この折り畳み扉式通船ゲートによれば、上下方向に分割された複数枚の扉をスムーズに折り畳むことができ、また、逆に拡げることができる。
【００１３】
分割された複数枚の扉が降下しているか否かを確認するためのポールを、最上段の扉から上方に突出させて取り付けておくのが良い。
この折り畳み扉式通船ゲートによれば、最上段の扉から上方に突出させてあるポールを見るだけで、分割された複数枚の扉が降下しているか否かを容易に確認することができる。
【００１４】
上下方向に分割された複数枚の扉には、網体ではなくフロートを配置してある。
この折り畳み式通船ゲートによれば、扉に網体を配置した従来のものに比べて、流木が突き刺さることがないので、ゲートのスムーズな開閉が可能である。
【００１５】
Ｕ字状のゲートフレームのデッキ上に太陽電池パネルが備えられ、この太陽電池パネルにより得られた電力で電動ウインチのモータを駆動させるようにするのが良い。
この折り畳み式通船ゲートによれば、通船ゲートに蓄電池が搭載されていなくても陸電を供給することなくゲートを開閉できる。
【００１６】
無線操作で、電動ウインチのモータを駆動させることができるようにしておくと良い。
この折り畳み式通船ゲートによれば、通船ゲートに乗り込むことなく船上からの遠隔操作により、ゲートを開閉できる。
【発明の効果】
【００１７】
請求項１記載の発明によれば、低水位時において使用する場合でもゲートを開くことが可能であるから、通常の水位、低水位にかかわらず、ほとんどの水位に対してダム管理船や集塵船の通過を可能ならしめ得るのみならず、これらの船による管理と集塵とが可能である。
【００１８】
請求項２記載の発明によれば、電動ウインチのモータ駆動により、上下方向に分割された複数枚の扉を自動的かつ簡単に折り畳むことができ、また、逆に拡げることができる。
【００１９】
請求項３記載の発明によれば、上下方向に分割された複数枚の扉をよりスムーズに折り畳むことができ、また、逆によりスムーズに拡げることができる。
【００２０】
請求項４記載の発明によれば、最上段の扉から上方に突出させてあるポールを見るだけで、分割された複数枚の扉が降下しているか否かを容易に確認することができる。
【００２１】
請求項５記載の発明によれば、扉に網体を配置した従来のものに比べて、流木が突き刺さることがないので、ゲートのスムーズな開閉が可能である。
【００２２】
請求項６記載の発明によれば、通船ゲートに蓄電池が搭載されていなくても陸電を供給することなくゲートを開閉できる。
【００２３】
請求項７記載の発明によれば、通船ゲートに乗り込むことなく船上からの遠隔操作により、ゲートを開閉できる。
【図面の簡単な説明】
【００２４】
【図１】通船ゲートを有する流木止め設備の設置状態を示す平面図である。
【図２】本発明の折り畳み扉式通船ゲートの一例を示す図で、(a)は正面図、(b)は平面図、(c)は右側面図である。
【図３】本発明の折り畳み扉式通船ゲートの拡大正面図である。
【図４】本発明の折り畳み扉式通船ゲートの折り畳み可能な扉とこの扉に備えられている主要部材のみを示す図で、(a)は正面図、(b)は平面図である。
【図５】図４に示す扉の断面図で、Ｕ字状のゲートフレームとそのガイド溝とを鎖線で合わせて示す。
【図６】図４に示す折り畳み可能な扉の動作図で、(a)は扉が閉じた状態を、(b)は扉の動作中の状態を、(c)は扉が開いた状態を示す。
【発明を実施するための形態】
【００２５】
本発明による折り畳み扉式通船ゲートの一例を、図面に基いて詳細に説明する。本発明による折り畳み扉式通船ゲートＢは、図１のＢで示すように、従来の場合と同様に、流木止め設備Ａの途中に用いられる。
本発明による折り畳み扉式通船ゲートＢには、折り畳み可能な扉１が配置されており、ここではこの扉１を上段、中段、下段と、上下方向に３つに分割した場合が例示されている。そして、上段の扉１ａの下端と中段の扉１ｂの上端とは、左右両端とその間の一定間隔をおいて、ヒンジ２，２によりそれぞれ回転可能に連結されている。
なお、扉１を何段に分割して折り畳み可能とするかについては、折り畳み扉式通船ゲートＢの設置場所の水深などに応じて自由に選択できる。
【００２６】
また、中段の扉１ｂの下端と下段の扉１ｃの上端とは、左右両端とその間の一定間隔をおいて、いずれも連結杆３の上下両端にヒンジ４，４を用いてそれぞれ回転可能に連結されている。
さらに、下段の扉１ｃの下端は、左右両端とその間の一定間隔をおいて、フロートＣにより半水没状に支持されるＵ字状のゲートフレームＤに一定間隔をおいて取り付けられている各取付杆ｄ，ｄに、ヒンジ５，５を用いてそれぞれ回転可能に連結されている。
このような構成により、上下方向において３つに分割されている上段の扉１ａ、中段の扉１ｂ、下段の扉１ｃは、上下方向において折り畳み自在である。
【００２７】
上段の扉１ａの左右両端から外側に向けてワイヤロープ取り付け用の取付杆６，６が延び出させてある。そして、前記ゲートフレームＤのデッキ７に搭載した電動ウインチ８の２つのウインチドラム８ａ，８ａから２本のワイヤロープ９，９をそれぞれ延び出させ、２本のワイヤロープ９，９のそれぞれの端部を前記取付杆６，６に１本ごと定着する。
なお、電動ウインチ８のウインチドラム８ａからＵ字状のゲートフレームＤに沿って延び出ていて図３の左側に現れるワイヤロープ９は、図２(a)、(b)及び図３に示すように、Ｕ字状のゲートフレームＤ上に備えられている方向変換用のローラ１０を経て垂下させたところにおいて、その先端を図５の左側に現れる取付杆６に定着してある。
【００２８】
電動ウインチ８のモータを駆動させ、２つのウインチドラム８ａ，８ａから２本のワイヤロープ９，９をそれぞれ延び出させると、図６(a)に示すように、上下方向において３つに分割されている上段の扉１ａ、中段の扉１ｂ、下段の扉１ｃのうち上段の扉１ａから順次降下して行き、図６(b)の状態を経て図６(c)に示すように、各ヒンジ２，４，５部分で各扉１ａ，１ｂ，１ｃをＵ字状のゲートフレームＤに対して折り畳むことができる。
したがって、通船ゲートＢのゲートを自動的かつ簡単に開くことができる。
【００２９】
一方、電動ウインチ８のモータを逆に駆動させると、２つのウインチドラム８ａ，８ａからそれぞれ延び出ていた２本のワイヤロープ９，９をウインチドラム８ａ，８ａに巻くことができるので、先程とは逆に上段の扉１ａから順次上昇せしめられ、最終的には、上下方向において３つに分割されている上段の扉１ａ、中段の扉１ｂ、下段の扉１ｃを、図６(a)に示すように１枚の扉となるように拡げることができる。
したがって、通船ゲートＢのゲートを自動的かつ簡単に閉じることができる。
【００３０】
このように、電動ウインチ８のモータ駆動により、上下方向において３つに分割されている上段の扉１ａ、中段の扉１ｂ、下段の扉１ｃを、Ｕ字状のゲートフレームＤに対して自動的かつ簡単に折り畳むことができ、また、逆に拡げることができるので、ゲートを自動的かつ簡単に開閉することができる。
【００３１】
ここに例示する折り畳み扉式通船ゲートＢにおいては、図５に示すように、上段の扉１ａの左右両端から上方に向けて、取付腕１１，１１が延び出させてあり、両取付腕１１，１１には上下二箇所においてガイドローラ１２，１２がそれぞれ取り付けられている。そして、左右両側にある上下２つのガイドローラ１２，１２は、図５及び図６に示すように、前記Ｕ字状のゲートフレームＤの左右の側枠に形成されているガイド溝ｄ’，ｄ’に沿ってそれぞれ回動させ得るようにしてある。
このようにすることにより、上下方向に分割された複数枚の扉１ａ，１ｂ，１ｃをよりスムーズに折り畳むことができ、また、逆によりスムーズに拡げることができる。したがって、ゲートの開閉をよりスムーズに行うことができる。
【００３２】
また、ここに例示する折り畳み扉式通船ゲートＢにおいては、図２(a)及び図３に示すように、上下方向に分割された複数枚の扉１ａ，１ｂ，１ｃが降下しているか否かを確認するためのポール１３が、最上段の扉１ａから上方に突出させて取り付けてある。上下方向に分割された複数枚の扉１ａ，１ｂ，１ｃが閉じられている場合には、このポール１３は図６(a)の位置にあり、複数枚の扉１ａ，１ｂ，１ｃが順次折り畳まれて行く（開かれて行く）にしたがって、図６(b)に示すように徐々に降下し、複数枚の扉１ａ，１ｂ，１ｃが折り畳まれた（開かれた）場合には、図６(c)に示すように最も降下した位置に来る。
したがって、このポール１３の先端位置を確認するだけで、上下方向に分割された複数枚の扉１ａ，１ｂ，１ｃが降下しているか否かを確認することができる。
【００３３】
また、ここに例示する折り畳み扉式通船ゲートＢにおいては、上下方向に分割された複数枚の扉１ａ，１ｂ，１ｃには、網体ではなくフロート１４を配置してある。
したがって、扉に網体を配置した従来のゲートに比べて、流木が突き刺さることがないので、ゲートのスムーズな開閉が可能である。
【００３４】
また、ここに例示する折り畳み扉式通船ゲートＢにおいては、Ｕ字状のゲートフレームＤのデッキ７上に太陽電池パネル１５が備えられている。そして、この太陽電池パネル１５により得られた電力で、電動ウインチ８のモータを駆動させることができるようにしてある。
このようになっていると、折り畳み扉式通船ゲートＢに蓄電池が搭載されていなくても陸電を供給することなくゲートを開閉できる。
なお、この太陽電池パネル１５により得られた電力は、図示しない操作盤内に備えられているバッテリーに蓄電されるようにしてある。
【００３５】
さらに、ここに例示する折り畳み扉式通船ゲートＢにおいては、無線操作で、電動ウインチ７のモータを駆動させることができるようにしてある。
このようにしておくと、通船ゲートに乗り込むことなく船上からの遠隔操作により、ゲートを開閉できる。
【００３６】
なお、電動ウインチ８に減速機が備えられておれば、手巻きハンドルにより電動ウインチ８を操作することもできる。また、図２(b)に示すように、デッキ７の上流側（図２(b)の上側）と下流側（図２(b)の下側）とに手動スイッチ１６を備えておけば、船上からの遠隔操作を行うための無線機を忘れた場合でも、この手動スイッチ１６を押すことにより、上下方向に分割された複数枚の扉１ａ，１ｂ，１ｃの折り畳みと拡げることを、すなわち、ゲートの開閉を行うことができる。
【００３７】
その他図面において、符号１７〔図２(a)〕は、通船ゲートＢの左右両側に設けられているデッキ７，７の下方であって、前記Ｕ字状のゲートフレームＤの外側の上流側と下流側の両方に配置したネットで、流木を堰き止めるためのものである。また、符号１８〔図２(b)〕は、ネットをフロートで浮かせた網場と称する流木止め設備Ａと本折り畳み扉式通船ゲートＢとを連結するための連結部材、符号１９〔図２(b)〕は、船の係留ロープを結ぶためにデッキ７に配置された金具である。さらに、符号２０〔図２(a)、(c)、図３〕は、Ｕ字状のゲートフレームＤから前後方向（図２(c)では左右方向）に延び出させた着底フレームで、この着底フレーム２０により通船ゲートＢをダム、湖、貯水池、河川などの底に安定して着底させることができる。
【産業上の利用可能性】
【００３８】
本折り畳み扉式通船ゲートＢは、ダム、湖、貯水池、河川その他の取水口に塵芥や流木などが流れ込むのを防止するためにその前方に設けられる流木止め設備や、ダム付帯設備その他の浮体構造の網場用あるいはフェンス用など、各種の閉鎖区域のゲートとして利用可能である。
【符号の説明】
【００３９】
１…扉、１ａ…上段の扉、１ｂ…中段の扉、１ｃ…下段の扉、２，４，５…ヒンジ、６…ワイヤロープ取り付け用の取付杆、７…デッキ、８…電動ウインチ、８ａ…ウインチドラム、９…ワイヤロープ、１２…ガイドローラ、１３…ポール、１４…フロート、１５…太陽電池パネル、Ａ…流木止め設備、Ｂ…折り畳み扉式通船ゲート、Ｃ…フロート、Ｄ…Ｕ字状のゲートフレーム、ｄ’…ガイド溝。
【図１】
2012082570.tif 000003
【図２】
2012082570.tif 000004
【図３】
2012082570.tif 000005
【図４】
2012082570.tif 000006
【図５】
2012082570.tif 000007
【図６】
2012082570.tif 000008